(57)【要約】      （修正有）【課題】異物が装置内に投入される前に、異物を効率よく除去する硬貨処理装置のカバー部材を提供する。【解決手段】硬貨処理装置は、硬貨を装置内に受け入れる硬貨受入部と、硬貨受入部を覆うカバー部材２０と、を備えている。カバー部材２０は、硬貨が投入される第１硬貨投入部２１と、異物が硬貨の中に混入して硬貨と一緒に第１硬貨投入部２１に投入された場合に、その異物を除去する複数の異物除去孔２３と、第１硬貨投入部２１に投入されて異物除去孔２３で異物が除去された後の硬貨が投入される第２硬貨投入部２２と、を有している。第１硬貨投入部２１は、仕切り部材によって硬貨受入部から仕切られている。第２硬貨投入部２２は、硬貨受入部に連通している。【選択図】図４
2019046128.tif 000002
【特許請求の範囲】
【請求項１】
硬貨を装置内に受け入れる硬貨受入部と、
前記硬貨受入部を覆うカバー部材と、を備え、
前記カバー部材は、
前記硬貨が投入される第１硬貨投入部と、
異物が前記硬貨の中に混入して前記硬貨と一緒に前記第１硬貨投入部に投入された場合に、その異物を除去する複数の異物除去孔と、
前記第１硬貨投入部に投入されて前記異物除去孔で前記異物が除去された後の前記硬貨が投入される第２硬貨投入部と、を有し、
前記第１硬貨投入部は、仕切り部材によって前記硬貨受入部から仕切られており、
前記第２硬貨投入部は、前記硬貨受入部に連通している
ことを特徴とする硬貨処理装置。
【請求項２】
請求項１に記載の硬貨処理装置において、
前記カバー部材は、前記硬貨受入部に対して着脱可能に構成されている
ことを特徴とする硬貨処理装置。
【請求項３】
請求項１又は請求項２に記載の硬貨処理装置において、
前記第１硬貨投入部は、上方に広がる皿状の形状を呈しており、
前記異物除去孔は、少なくとも前記第１硬貨投入部の底面部に形成されている
ことを特徴とする硬貨処理装置。
【請求項４】
請求項３に記載の硬貨処理装置において、
前記第１硬貨投入部は、前記底面部の周囲に斜面部が形成されており、
前記異物除去孔は、前記底面部に加え、前記斜面部にも形成されている
ことを特徴とする硬貨処理装置。
【請求項５】
請求項１乃至請求項４のいずれか一項に記載の硬貨処理装置において、
前記異物除去孔の大きさは、流通している最小硬貨の直径よりも小さい
ことを特徴とする硬貨処理装置。
【請求項６】
請求項１乃至請求項５のいずれか一項に記載の硬貨処理装置において、
前記カバー部材は、前記異物除去孔で除去された前記異物を収容する異物収容部を有する
ことを特徴とする硬貨処理装置。
【請求項７】
請求項６に記載の硬貨処理装置において、
前記カバー部材は、回動手段を有しており、かつ、当該回動手段で回動することにより前記硬貨受入部を開放する
ことを特徴とする硬貨処理装置。
【請求項８】
請求項７に記載の硬貨処理装置において、
前記カバー部材は、前記回動手段で回動することにより前記異物収容部に収容された前記異物を外部に排出する
ことを特徴とする硬貨処理装置。
【請求項９】
請求項６に記載の硬貨処理装置において、
前記カバー部材は、スライド機構を有しており、かつ、当該スライド機構でスライド移動することにより前記硬貨受入部を開放する
ことを特徴とする硬貨処理装置。
【請求項１０】
請求項９に記載の硬貨処理装置において、
前記カバー部材は、前記スライド機構でスライド移動することにより前記異物収容部に収容された前記異物を外部に排出する
ことを特徴とする硬貨処理装置。
【請求項１１】
請求項１乃至請求項１０のいずれか一項に記載の硬貨処理装置において、
前記カバー部材は、複数の紙幣の間に挟まった硬貨を取り除く硬貨取り除き部を有する
ことを特徴とする硬貨処理装置。
【請求項１２】
請求項１１に記載の硬貨処理装置において、
前記硬貨取り除き部は、
前記第１硬貨投入部の上部又は前記第１硬貨投入部の上方に配置され、かつ、前記複数の紙幣の一辺に対して部分的に突き当てられる紙幣突当部と、
硬貨が間に挟まれた前記複数の紙幣が前記紙幣突当部に突き当てられたときに、前記複数の紙幣の間から分離した硬貨が通過する通路部と、を備えており、
前記通路部は、前記複数の紙幣の間から分離した硬貨を前記第１硬貨投入部の底面部に向けて落下させる
ことを特徴とする硬貨処理装置。
【請求項１３】
請求項１１に記載の硬貨処理装置において、
前記硬貨取り除き部は、
前記第１硬貨投入部の上部又は前記第１硬貨投入部の上方に配置され、かつ、前記複数の紙幣が挿入される紙幣挿入部と、
前記紙幣挿入部の内部に配置され、かつ、前記複数の紙幣の一辺に対して部分的に突き当てられる紙幣突当部と、
硬貨が間に挟まれた前記複数の紙幣が前記紙幣突当部に突き当てられたときに、前記複数の紙幣の間から分離した硬貨が通過する通路部と、を備えており、
前記通路部は、前記複数の紙幣の間から分離した硬貨を前記第１硬貨投入部の底面部に向けて落下させる
ことを特徴とする硬貨処理装置。
【請求項１４】
請求項１２又は請求項１３に記載の硬貨処理装置において、
前記通路部は、前記紙幣突当部から前記第１硬貨投入部の底面部に向けて硬貨を斜め方向に落下させる傾斜面部を備えている
ことを特徴とする硬貨処理装置。
【請求項１５】
請求項１１乃至請求項１４のいずれか一項に記載の硬貨処理装置において、
前記カバー部材は、前記硬貨取り除き部が設けられた上部カバーと、前記異物除去孔が設けられた下部カバーとに分割されている
ことを特徴とする硬貨処理装置。
【請求項１６】
硬貨を装置内に受け入れる硬貨受入部を覆うように、硬貨処理装置に取り付けられるカバー部材であって、
前記硬貨が投入される第１硬貨投入部と、
異物が前記硬貨の中に混入して前記硬貨と一緒に前記第１硬貨投入部に投入された場合に、その異物を除去する複数の異物除去孔と、
前記第１硬貨投入部に投入されて前記異物除去孔で前記異物が除去された後の前記硬貨が投入される第２硬貨投入部と、を有し、
前記第１硬貨投入部は、仕切り部材によって前記硬貨受入部から仕切られており、
前記第２硬貨投入部は、前記硬貨受入部に連通するように開口している
ことを特徴とするカバー部材。
【発明の詳細な説明】
【技術分野】
【０００１】
本発明は、硬貨処理装置、及び、当該硬貨処理装置に取り付けるカバー部材に関する。
【背景技術】
【０００２】
硬貨処理装置は、投入された複数の硬貨を硬貨受入部で一括で受け入れ、硬貨認識部で各硬貨の真贋判別及び金種判別を行い、その結果に応じて各硬貨を振り分けて任意の場所に収容する。硬貨処理装置は、硬貨受入部の下部にベルトが実装されている構造のものと、回転円盤が実装されている構造のものとがある。ベルトや回転円盤は、硬貨受入部で受け入れられた硬貨を硬貨認識部等に搬送する機構である。
【０００３】
ところで、硬貨処理装置では、例えばクリップやステープラの芯等の異物が硬貨とともに投入されることがある。このような現象は、例えば、紙幣や伝票等がクリップやステープラの芯等で留められて硬貨と一緒に袋の中に雑多に入れられており、投入者がその袋の中から硬貨を手で取り出して硬貨処理装置に投入する際に、クリップやステープラの芯等の異物が混入してしまい、投入者が異物の混入を見逃した状態で硬貨を投入することにより発生する。このような現象は、例えば、金融業や流通業等においてＡＴＭやキャッシュレジスタ等の現金取扱装置から現金を回収する場合や、運送業等において取引先で現金を渡される場合等で発生し易い。
【０００４】
そこで、硬貨処理装置の中には、硬貨と一緒に異物が投入された場合に、異物を除去する構造の装置があった（例えば、特許文献１参照）。特許文献１に記載された硬貨処理装置は、異物を除去するための異物除去孔を硬貨搬送路に設けたものである。
【先行技術文献】
【特許文献】
【０００５】
【特許文献１】特許４８７７２７５号公報
【発明の概要】
【発明が解決しようとする課題】
【０００６】
しかしながら、従来の硬貨処理装置は、異物の除去性能が十分でなく、改善する余地があった。そのため、従来の硬貨処理装置は、異物を除去しきれずに、異物が硬貨受入部に投入されてしまう場合があった。その結果、従来の硬貨処理装置は、入金時に硬貨の取り込みエラーが発生したり、出金時に硬貨の放出エラーが発生したりすることがあった。なお、「硬貨の取り込みエラー」とは、入金時に硬貨受入部に投入された硬貨が異物に引っ掛かることで硬貨の取り込みが阻害される現象である。また、「硬貨の放出エラー」とは、出金時に硬貨出金部まで搬送された硬貨が異物に引っ掛かることで硬貨の放出が阻害される現象である。
【０００７】
本発明は、前記した課題を解決するためになされたものであり、異物が装置内に投入される前に、異物を効率よく除去する硬貨処理装置、及び、当該硬貨処理装置に取り付けるカバー部材を提供することを主な目的とする。
【課題を解決するための手段】
【０００８】
前記目的を達成するため、第１発明は、硬貨処理装置であって、硬貨を装置内に受け入れる硬貨受入部と、前記硬貨受入部を覆うカバー部材と、を備え、前記カバー部材は、前記硬貨が投入される第１硬貨投入部と、異物が前記硬貨の中に混入して前記硬貨と一緒に前記第１硬貨投入部に投入された場合に、その異物を除去する複数の異物除去孔と、前記第１硬貨投入部に投入されて前記異物除去孔で前記異物が除去された後の前記硬貨が投入される第２硬貨投入部と、を有し、前記第１硬貨投入部は、仕切り部材によって前記硬貨受入部から仕切られており、前記第２硬貨投入部は、前記硬貨受入部に連通している構成とする。
【０００９】
また、第２発明は、硬貨を装置内に受け入れる硬貨受入部を覆うように、硬貨処理装置に取り付けられるカバー部材であって、前記硬貨が投入される第１硬貨投入部と、異物が前記硬貨の中に混入して前記硬貨と一緒に前記第１硬貨投入部に投入された場合に、その異物を除去する複数の異物除去孔と、前記第１硬貨投入部に投入されて前記異物除去孔で前記異物が除去された後の前記硬貨が投入される第２硬貨投入部と、を有し、前記第１硬貨投入部は、仕切り部材によって前記硬貨受入部から仕切られており、前記第２硬貨投入部は、前記硬貨受入部に連通するように開口している構成とする。
【発明の効果】
【００１０】
本発明によれば、異物が装置内に投入される前に、異物を効率よく除去することができる。
【図面の簡単な説明】
【００１１】
【図１】実施形態１に係る硬貨処理装置の構成を示す図である。
【図２】実施形態１に係る硬貨処理装置の金種別一時保留部の構成を模式的に示す図である。
【図３】実施形態１に係る硬貨処理装置の硬貨出金箱の構成を模式的に示す図である。
【図４】実施形態１に係るカバー部材の斜視図である。
【図５】実施形態１に係るカバー部材の上面図である。
【図６】実施形態１に係るカバー部材の側面図である。
【図７】実施形態１に係るカバー部材の断面図である。
【図８】実施形態１に係るカバー部材の硬貨処理装置への取付例の説明図である。
【図９】実施形態１に係るカバー部材の運用例の説明図である。
【図１０】実施形態１に係るカバー部材の運用例の説明図である。
【図１１】実施形態１に係るカバー部材の運用例の説明図である。
【図１２】実施形態２に係るカバー部材の構成を示す図である。
【図１３】実施形態２に係るカバー部材の運用例の説明図である。
【図１４】変形例に係るカバー部材の構成及び運用例の説明図である。
【図１５】実施形態３に係るカバー部材の斜視図である。
【図１６】実施形態３に係るカバー部材の開放時の斜視図である。
【図１７】実施形態３に係るカバー部材の上部カバーの上面図である。
【図１８】実施形態３に係るカバー部材の下部カバーの上面図である。
【図１９】実施形態３に係るカバー部材の側面図である。
【図２０】実施形態３に係るカバー部材の断面図である。
【図２１】実施形態３に係るカバー部材の運用例の説明図である。
【図２２】実施形態３に係るカバー部材の運用例の説明図である。
【図２３】実施形態３に係るカバー部材の運用例の説明図である。
【発明を実施するための形態】
【００１２】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１３】
［実施形態１］
本実施形態１は、異物除去トレー２０（図４参照）を硬貨処理装置１００（図１参照）に適用するものである。以下、まず、硬貨処理装置１００について説明し、次に、異物除去トレー２０について説明する。
【００１４】
＜硬貨処理装置の構成＞
以下、図１乃至図３を参照して、硬貨処理装置１００の構成につき説明する。図１は、硬貨処理装置１００の構成を示す図である。図１（ａ）は、正面方向から見た硬貨処理装置１００の構成を示しており、図１（ｂ）は、右方向から見た硬貨処理装置１００の構成を示している。図２は、硬貨処理装置１００の金種別一時保留部の構成を模式的に示す図である。図３は、硬貨処理装置１００の硬貨出金箱の構成を模式的に示す図である。
【００１５】
図１に示すように、硬貨処理装置１００は、装置正面（前面）上部に、硬貨を装置内に一括して受け入れる硬貨受入部１を備えている。硬貨受入部１の上面は、硬貨を一括して投入できるように開口している。硬貨受入部１の上方には、異物除去トレー２０が取り付けられている。異物除去トレー２０は、硬貨受入部１を覆うカバー部材である。異物除去トレー２０は、硬貨受入部１に対して着脱可能に構成されている。異物除去トレー２０は、硬貨受入部１に投入される硬貨への異物の混入を防止する異物混入防止部材として機能する。
【００１６】
硬貨処理装置１００の内部において、硬貨受入部１の下方には、硬貨を１枚ずつ繰り出す硬貨繰出部２が配置されている。硬貨繰出部２の硬貨送出口は、搬送路によって、硬貨を認識する硬貨認識部３につながっている。硬貨認識部３は、搬送路によって、硬貨を選別して所望の場所に搬送する選別搬送部４につながっている。
【００１７】
選別搬送部４には、硬貨の搬送方向の上流側から、リジェクト口５、及び金種別の受入口６ａ〜６ｆが設けられている。選別搬送部４は、リジェクト口５に対応するリジェクトシュート、及び金種別の受入口６ａ〜６ｆに対応する硬貨落下シュート８ａ〜８ｆを備えている。
【００１８】
リジェクト口５の下方には、再使用が不能な硬貨が収容されるリジェクト硬貨収容部９が配置されている。また、金種別の受入口６ａ〜６ｆの下方には、再使用が可能な硬貨が金種別に収容される金種別一時保留部１１ａ〜１１ｆが配置されている。リジェクト硬貨は、リジェクトシュートによってリジェクト口５からリジェクト硬貨収容部９に導かれる。一方、再使用が可能な硬貨は、金種に応じて、硬貨落下シュート８ａ〜８ｆによって金種別の受入口６ａ〜６ｆから金種別一時保留部１１ａ〜１１ｆに導かれる。
【００１９】
図２に模式的に示すように、金種別一時保留部１１ａ〜１１ｆは、それぞれ、前後左右の四方向が壁面で仕切られることにより、金種別に硬貨を収容する空間として形成されている。金種別一時保留部１１ａ〜１１ｆは、直線状に並べて配置されている。金種別一時保留部１１ａ〜１１ｆの底部は、開口しており、初期位置においてガイド１２の上に配置されることによりガイド１２で封鎖されている。金種別一時保留部１１ａ〜１１ｆは、一時保留部移動モータ（図示せず）によって左右方向（矢印Ｈ方向又は矢印Ｓ方向）に移動可能な構造になっている。
【００２０】
金種別一時保留部１１ａ〜１１ｆが左方向（矢印Ｈ方向）に移動した場合に、その移動先の場所の下方には、硬貨返却箱１３が配置されている。一方、金種別一時保留部１１ａ〜１１ｆが右方向（矢印Ｓ方向）に移動した場合に、その移動先の場所の下方には、金種別出金ホッパ１５ａ〜１５ｆが配置されている。
【００２１】
硬貨返却箱１３は、利用者（投入者）に返却される返却硬貨が一時的に収容される箱である。硬貨返却箱１３は、装置正面から装置外へ引き出し可能になっている。硬貨返却箱１３の内部には、返却硬貨を金種別に収容する金種別硬貨返却小箱１４が配置されている。
【００２２】
金種別出金ホッパ１５ａ〜１５ｆは、再利用可能な硬貨が一時的に収容される場所である。金種別出金ホッパ１５ａ〜１５ｆは、金種別一時保留部１１ａ〜１１ｆのそれぞれの底部に設けられた開口に対応している。金種別出金ホッパ１５ａ〜１５ｆは、直線状に配置されている。金種別出金ホッパ１５ａ〜１５ｆの下部には、硬貨を１枚ずつ繰り出す硬貨繰出手段が設けられている。
【００２３】
図３に模式的に示すように、金種別出金ホッパ１５ａ〜１５ｆの下方には、出金用の硬貨が収容される硬貨出金箱１６が配置されている。硬貨出金箱１６の内部には、出金用の硬貨を金種別に収容する金種別硬貨出金小箱１７が配置されている。金種別硬貨出金小箱１７は、それぞれの金種別出金ホッパ１５ａ〜１５ｆの出口に対応している。金種別硬貨出金小箱１７は、直線状に配置されている。硬貨出金箱１６は、装置前面から引き出すことができる。金種別硬貨出金小箱１７ａ〜１７ｆは、その硬貨出金箱１６から取り出すことができる。
【００２４】
＜異物除去トレーの構成＞
以下、図４乃至図８を参照して、異物除去トレー２０の構成につき説明する。図４乃至図７は、それぞれ、異物除去トレー２０の斜視図、上面図、側面図、及び断面図である。図７は、図５に示すＸ１−Ｘ１線に沿って切断した異物除去トレー２０の断面を、側面方向から見た形状を示している。図８は、異物除去トレー２０の硬貨処理装置１００への取付例の説明図である。
【００２５】
図４及び図５に示すように、異物除去トレー２０は、上面側に、第１硬貨投入部２１と、第２硬貨投入部２２と、複数の異物除去孔２３と、を備えている。また、異物除去トレー２０の両側面には、後端部の下端付近に、開閉支点２８が設けられている。
【００２６】
第１硬貨投入部２１は、硬貨が投入される部位である。
第２硬貨投入部２２は、第１硬貨投入部２１に投入されて異物除去孔２３で異物が除去された後の硬貨が投入される部位である。
異物除去孔２３は、異物が硬貨の中に混入して硬貨と一緒に第１硬貨投入部２１に投入された場合に、その異物を後記する異物収容部２５（図７参照）に落下させて、異物を除去する構成要素である。
開閉支点２８は、異物除去トレー２０を回動させて硬貨受入部１を開閉する軸部である。
【００２７】
第１硬貨投入部２１は、上方に広がる皿状の形状を呈している。したがって、第１硬貨投入部２１は、底面部の面積よりも開口部の面積の方が広い形状を呈している。第１硬貨投入部２１は、第２硬貨投入部２２よりも広く形成されており、比較的大量の硬貨を投入することができる。第１硬貨投入部２１の内部には、底面部２１ａと傾斜部２１ｂとが形成されている。第１硬貨投入部２１の傾斜部２１ｂは、底面部２１ａの前後左右の四方向を囲むように配置されている。傾斜部２１ｂは、底面部２１ａに向かって硬貨を集めるように傾斜している。特に、底面部２１ａの後方に配置された傾斜部２１ｂは、後方から手前に向かって硬貨を集めるように、底面部２１ａと一体に形成されている。
【００２８】
第２硬貨投入部２２は、上方に広がる形状を呈している。したがって、第２硬貨投入部２２は、底面部の面積よりも開口部の面積の方が広い形状を呈している。第２硬貨投入部２２の内部には、開口部２２ａと傾斜部２２ｂとが形成されている。開口部２２ａは、第２硬貨投入部２２の底部に形成されている。開口部２２ａは、好ましくは、硬貨が１枚ずつ通過するように、スリット状の形状に形成されているとよい。第２硬貨投入部２２の傾斜部２２ｂは、開口部２２ａの前後左右の四方向を囲むように配置されている。傾斜部２２ｂは、開口部２２ａに向かって硬貨を集めるように傾斜している。
【００２９】
異物除去孔２３は、異物を通し、硬貨を通さない機能を有している。異物除去孔２３は、少なくとも第１硬貨投入部２１の底面部２１ａに形成されている。本実施形態１では、複数の異物除去孔２３が、底面部２１ａに加え、傾斜部２１ｂにも複数形成されている。
【００３０】
異物除去孔２３は、好ましくは、円形状又は楕円形状に形成されているとよい。ここでは、異物除去孔２３が円形状に形成されているものとして説明する。異物除去孔２３の大きさは、流通している最小硬貨の直径よりも小さいサイズにするとよい。例えば、日本では、流通している最小硬貨が１円硬貨であり、１円硬貨の直径が２０ｍｍであるため、異物除去孔２３の大きさは、２０ｍｍ未満にするとよい。
【００３１】
ただし、異物除去孔２３は、異物を通し、硬貨を通さない形状及び大きさであれば、四角形などの多角形状に形成されていてもよい。異物除去孔２３が多角形状に形成されている場合に、異物除去孔２３の２つの頂点を結ぶ対角線の長さは、流通している最小硬貨の直径よりも小さいサイズにするとよい。
【００３２】
第１硬貨投入部２１の後方の傾斜部２１ｂには、紙幣突当部２４が形成されている。紙幣突当部２４は、複数の紙幣の一辺に対して部分的に突き当てられる部位である（図１０参照）。紙幣突当部２４は、複数の紙幣を突き当てさせることによって、複数の紙幣を整列させる紙幣の整列部として機能する。また、紙幣突当部２４は、硬貨や異物が複数の紙幣の間に挟まっている場合に、複数の紙幣の間から硬貨や異物を取り除く硬貨取り除き部として機能する。
【００３３】
紙幣突当部２４は、紙幣受け部２４ａと、立設部２４ｂと、通路部２４ｃと、を備えている。
紙幣受け部２４ａは、紙幣が突き当てられる部位である。
立設部２４ｂは、紙幣受け部２４ａとともに、紙幣が突き当てられる部位である。
通路部２４ｃは、硬貨や異物が間に挟まれた複数の紙幣が紙幣突当部２４に突き当てられたときに、複数の紙幣の間から分離した硬貨や異物が通過する部位である。
【００３４】
紙幣受け部２４ａは、第１硬貨投入部２１の後方の傾斜部２１ｂの頂上付近において、左右両側に２つ形成されている。
立設部２４ｂは、第１硬貨投入部２１の後方の傾斜部２１ｂの面上において、左右両側の紙幣受け部２４ａの間に１乃至複数（図示例では、２つ）形成されている。
通路部２４ｃは、第１硬貨投入部２１の後方の傾斜部２１ｂの面上において、各立設部２４ｂの間に１乃至複数（図示例では、３つ）形成されている。
【００３５】
通路部２４ｃは、硬貨や異物が間に挟まれた複数の紙幣が紙幣突当部２４に突き当てられたときに、複数の紙幣の間から分離した硬貨や異物を第１硬貨投入部２１の底面部２１ａに向けて落下させる。通路部２４ｃは、第１硬貨投入部２１の後方の傾斜部２１ｂに形成されている。そのため、通路部２４ｃは、紙幣突当部２４から第１硬貨投入部２１の底面部２１ａに向けて硬貨や異物を斜め方向に落下させる傾斜面部を備えた構造になっている。
【００３６】
異物除去トレー２０の後端部の下端付近には、開閉支点２８が設けられている。異物除去トレー２０の後端部の下端は、異物除去トレー２０が開閉支点２８を中心にして回動する際に、円滑に回動することが可能な形状を呈している。本実施形態では、異物除去トレー２０の後端部の下端が面取りされているものとして説明する。
【００３７】
図６及び図７に示すように、第１硬貨投入部２１の下方には、異物収容部２５が設けられている。異物収容部２５は、異物除去孔２３で除去された異物を収容する空間である。異物収容部２５の底面には、床面部２６が配置されている。床面部２６は、異物収容部２５と硬貨受入部１（図９（ａ）参照）との間を仕切る仕切り部材として機能する。
【００３８】
第１硬貨投入部２１は、異物除去孔２３を介して異物収容部２５に連通しているものの、仕切り部材である床面部２６によって、異物収容部２５とともに硬貨受入部１（図９（ａ）参照）から仕切られている。一方、第２硬貨投入部２２は、開口部２２ａを介して硬貨受入部１（図９（ａ）参照）に連通している。
【００３９】
異物除去トレー２０の後面の下端部には、開口部２７が形成されている。したがって、異物収容部２５の内部は、開口部２７を介して外部に部分的に開放されている。
【００４０】
図８に示すように、硬貨処理装置１００の天井部１９には、硬貨受入部１を囲むようにカバー取付枠１９ａが形成されている。カバー取付枠１９ａの内周の後端部付近には、開閉支点挿入穴１９ｂが形成されている。開閉支点挿入穴１９ｂは、異物除去トレー２０の開閉支点２８と係合するように形成されている。開閉支点挿入穴１９ｂと開閉支点２８とは、異物除去トレー２０を回動させる回動手段を構成している。
【００４１】
異物除去トレー２０は、開閉支点２８を中心にして後方向に回動することにより、硬貨受入部１を外部に開放する。その際に、異物除去トレー２０は、異物収容部２５に収容された異物を天井部１９の上に排出する。したがって、異物除去トレー２０は、開閉支点２８を中心にして回動することにより、異物収容部２５に収容された異物を異物除去トレー２０の外部に排出することができる。
【００４２】
＜異物除去トレーの運用例＞
以下、図９乃至図１１を参照して、異物除去トレー２０の運用例につき説明する。図９乃至図１１は、それぞれ、異物除去トレー２０の運用例の説明図である。
【００４３】
ここでは、異物除去トレー２０の運用例について、以下の３通りのパターンを例にして説明する。
（１）異物Ｆｏが複数の硬貨Ｃｏの中に混入しており、複数の硬貨Ｃｏの中から異物Ｆｏを分離させる場合の運用例。
（２）硬貨Ｃｏや異物Ｆｏが複数の紙幣Ｂｉの間に挟まっており、複数の紙幣Ｂｉの間から硬貨Ｃｏや異物Ｆｏを分離させる場合の運用例。
（３）異物収容部２５に収容された異物Ｆｏを異物収容部２５から除去する場合の運用例。
【００４４】
（１）異物Ｆｏが複数の硬貨Ｃｏの中に混入しており、複数の硬貨Ｃｏの中から異物Ｆｏを分離させる場合の運用例。
この場合に、例えば、図９（ａ）に示すように、利用者（投入者）は、複数の硬貨Ｃｏを第１硬貨投入部２１に投入する（矢印Ａ１１参照）。
【００４５】
すると、図９（ｂ）に示すように、各硬貨Ｃｏは、傾斜部２１ｂ（図４参照）に沿って滑落して、主に底面部２１ａ（図４参照）に集まった状態で、第１硬貨投入部２１の内部に保持される。一方、異物Ｆｏは、異物除去孔２３を通って第１硬貨投入部２１から異物収容部２５に落下して、異物収容部２５に収容される（矢印Ａ１２参照）。これにより、硬貨Ｃｏと異物Ｆｏとが分離される。したがって、異物除去トレー２０は、複数の硬貨Ｃｏの中から異物Ｆｏを除去することができる。
【００４６】
この後、図９（ｃ）に示すように、利用者は、第１硬貨投入部２１の内部に保持されている硬貨Ｃｏを第１硬貨投入部２１から適量ずつ手で取り出して、取り出した硬貨Ｃｏの中に異物Ｆｏが混入していないかを確認する。そして、利用者は、異物Ｆｏが混入していない場合に、そのまま硬貨Ｃｏを第２硬貨投入部２２に投入し、一方、異物Ｆｏが混入している場合に、異物Ｆｏを手で取り除いてから硬貨Ｃｏを第２硬貨投入部２２に投入する（矢印Ａ１３参照）。すると、硬貨Ｃｏは、開口部２２ａを通って第２硬貨投入部２２から硬貨受入部１に落下する。このようにして、異物除去トレー２０は、異物Ｆｏが除去された硬貨Ｃｏのみを硬貨受入部１に投入することができる。
【００４７】
図１に示すように、硬貨Ｃｏが硬貨受入部１に投入されると、硬貨処理装置１００は、硬貨繰出部２で硬貨Ｃｏを１枚ずつ硬貨認識部３に繰り出し、硬貨認識部３で図示せぬセンサによって検出された硬貨Ｃｏの特徴に基づいて硬貨Ｃｏの真贋判別及び金種判別を行う。そして、硬貨処理装置１００は、硬貨Ｃｏの枚数を計数しながら、判別結果に応じて、選別搬送部４で硬貨Ｃｏをリジェクト口５又は金種別の受入口６ａ〜６ｆまで搬送する。リジェクト口５又は金種別の受入口６ａ〜６ｆには、ソレノイド（図示せず）によって開閉される選別ブレート（図示せず）が設けられている。
【００４８】
その後、硬貨処理装置１００は、選別ブレート（図示せず）を開けて、リジェクト口５又は金種別の受入口６ａ〜６ｆに対応するリジェクトシュート又は硬貨落下シュート８ａ〜８ｆに硬貨Ｃｏを落とす。硬貨Ｃｏは、リジェクトシュート又は硬貨落下シュート８ａ〜８ｆを経由してリジェクト硬貨収容部９又は金種別一時保留部１１ａ〜１１ｆに落下する。
【００４９】
金種別一時保留部１１ａ〜１１ｆに落下した硬貨Ｃｏは、金種別一時保留部１１ａ〜１１ｆの底部に配置されたガイド１２の上に集積される。硬貨処理装置１００は、金種別一時保留部１１ａ〜１１ｆの中のいずれかの集積量（集積枚数）が、予め定められた設定量（設定枚数）に達するか、又は、硬貨繰出部２内に残留する硬貨Ｃｏがなくなると、硬貨繰出部２の繰り出し処理を停止して、処理を一旦終了する。
【００５０】
その後、硬貨処理装置１００は、計数された硬貨Ｃｏの金種別金額や合計金額等を表示部（図示せず）に表示して、利用者に確認させる。そして、硬貨処理装置１００は、実行中の処理が入金処理である場合に、表示部（図示せず）に表示された画面の中の操作ボタンで、硬貨Ｃｏの収納の可否を選択入力させる。
【００５１】
ここで、「収納可」（つまり、収納の実行）が入力された場合に、図２に示すように、硬貨処理装置１００は、一時保留部移動モータ（図示せず）を駆動して金種別一時保留部１１ａ〜１１ｆをガイド１２の上から矢印Ｓの方向に移動させる。これにより、ガイド１２の上に集積されていた硬貨Ｃｏが自由落下して金種別に出金ホッパ１５ａ〜１５ｆの内部に収納される。
【００５２】
一方、「収納否」（つまり、収納の取り消し）が入力された場合に、図２に示すように、硬貨処理装置１００は、一時保留部移動モータ（図示せず）を駆動して金種別一時保留部１１ａ〜１１ｆをガイド１２の上から矢印Ｈの方向に移動させる。これにより、ガイド１２の上に集積されていた硬貨Ｃｏが自由落下して硬貨返却箱１３に収納される。
【００５３】
なお、実行中の処理が計数処理である場合や、入金処理中にジャム（硬貨Ｃｏの搬送不良）等が生じた場合に、硬貨処理装置１００は、「収納否」（つまり、収納の取り消し）が入力された場合と同様の動作を行う。
【００５４】
（２）硬貨Ｃｏや異物Ｆｏが複数の紙幣Ｂｉの間に挟まっており、複数の紙幣Ｂｉの間から硬貨Ｃｏや異物Ｆｏを分離させる場合の運用例。
この場合に、例えば、図１０（ａ）に示すように、利用者は、複数の紙幣Ｂｉの一辺を紙幣突当部２４に複数回繰り返し突き当てる（矢印Ａ２１参照）。
【００５５】
すると、図１０（ｂ）に示すように、硬貨Ｃｏや異物Ｆｏは、複数の紙幣Ｂｉの間から分離して落下する。そして、硬貨Ｃｏや異物Ｆｏは、通路部２４ｃを通過して、傾斜部２１ｂ（図４参照）に沿って滑落する（矢印Ａ２２参照）。硬貨Ｃｏは、傾斜部２１ｂ（図４参照）に沿って滑落して、主に底面部２１ａ（図４参照）に集まった状態で、第１硬貨投入部２１の内部に保持される。一方、異物Ｆｏは、傾斜部２１ｂ（図４参照）に沿って滑落する際に、異物除去孔２３を通って第１硬貨投入部２１から異物収容部２５に落下して、異物収容部２５に収容される（矢印Ａ２３参照）。これにより、硬貨Ｃｏと異物Ｆｏとが分離される。したがって、異物除去トレー２０は、紙幣Ｂｉから硬貨Ｃｏや異物Ｆｏを除去することができるとともに、硬貨Ｃｏと異物Ｆｏとを分離させることができる。
【００５６】
この後、利用者は、第１硬貨投入部２１の内部に保持されている硬貨Ｃｏを第１硬貨投入部２１から適量ずつ手で取り出して、取り出した硬貨Ｃｏの中に異物Ｆｏが混入していないかを確認する。そして、図１０（ｂ）に示すように、利用者は、異物Ｆｏが混入していない場合に、そのまま硬貨Ｃｏを第２硬貨投入部２２に投入し、一方、異物Ｆｏが混入している場合に、異物Ｆｏを手で取り除いてから硬貨Ｃｏを第２硬貨投入部２２に投入する（矢印Ａ２４参照）。すると、硬貨Ｃｏは、開口部２２ａを通って第２硬貨投入部２２から硬貨受入部１に落下する。このようにして、異物除去トレー２０は、紙幣Ｂｉから硬貨Ｃｏや異物Ｆｏを分離させるとともに、異物Ｆｏが除去された硬貨Ｃｏのみを硬貨受入部１に投入することができる。
【００５７】
なお、運用例（２）において硬貨Ｃｏが硬貨受入部１に投入された場合に、硬貨処理装置１００は、前記した運用例（１）で硬貨Ｃｏが硬貨受入部１に投入された場合と同様の動作を行う。
【００５８】
（３）異物収容部２５に収容された異物Ｆｏを異物収容部２５から除去する場合の運用例。
この場合に、例えば、図１１に示すように、利用者は、異物除去トレー２０の前端部を把持して持ち上げる（矢印Ａ３１参照）。すると、異物除去トレー２０は、開閉支点２８を中心にして後方向に回動する。このとき、異物収容部２５に収容された異物Ｆｏは、床面部２６に沿って滑落する（矢印ＡＦｏ参照）。その結果、異物Ｆｏは、開口部２７を通過して、異物除去トレー２０の外部（具体的には、硬貨処理装置１００の天井部１９の上）に排出される。これにより、異物除去トレー２０は、異物収容部２５に収容された異物Ｆｏを異物収容部２５から除去することができる。利用者は、天井部１９の上に排出された異物Ｆｏを手で取り除く。
【００５９】
この運用例（３）は、前記した運用例（１）又は運用例（２）の動作が１回行われる都度行うようにしてもよいし、前記した運用例（１）又は運用例（２）の動作が複数回行われた後に行ってもよい。
【００６０】
＜異物除去トレーの主な特徴＞
（１）異物除去トレー２０は、第１硬貨投入部２１と、第２硬貨投入部２２と、を有している。第１硬貨投入部２１には、複数の異物除去孔２３が形成されている。第１硬貨投入部２１は、仕切り部材（床面部２６）によって硬貨受入部１から仕切られている。一方、第２硬貨投入部２２は、硬貨受入部１に連通している。
【００６１】
このような異物除去トレー２０は、第１硬貨投入部２１で複数の硬貨Ｃｏの中から異物Ｆｏを除去することができる。また、異物除去トレー２０は、複数の硬貨Ｃｏを一時的に保持する場所として第１硬貨投入部２１を用いることができる。これにより、異物除去トレー２０は、仮に第１硬貨投入部２１で除去しきれなかった異物Ｆｏがあったとしても、硬貨Ｃｏの中に異物Ｆｏが混入していないかを利用者に確認させながら第２硬貨投入部２２に投入させることができる。そのため、異物除去トレー２０は、異物Ｆｏが装置内に投入される前に、異物Ｆｏを効率よく積極的に除去することができる。
【００６２】
そして、硬貨処理装置１００は、例えば、紙幣や伝票等がクリップやステープラの芯等で留められて硬貨Ｃｏと一緒に袋の中に雑多に入れられており、利用者がその袋の中からクリップやステープラの芯等の異物Ｆｏが混入した状態で硬貨Ｃｏを取り出して投入することがあったとしても、硬貨受入部１の上に異物除去トレー２０が配置されているため、異物Ｆｏが装置内に投入されることを防止することができる。
【００６３】
（２）利用者は、第１硬貨投入部２１の中に保持されている複数の硬貨Ｃｏを手でかき混ぜることにより、硬貨Ｃｏと異物Ｆｏとの分離を促進させて、異物Ｆｏを異物収容部２５に効率よく落下させることができる。そのため、この点でも異物除去トレー２０は、異物Ｆｏを効率よく除去することができる。
【００６４】
（３）異物除去トレー２０は、硬貨取り除き部として機能する紙幣突当部２４を有している。このような異物除去トレー２０は、硬貨Ｃｏや異物Ｆｏが複数の紙幣Ｂｉの間に挟まっている場合であっても、複数の紙幣Ｂｉの一辺を紙幣突当部２４に複数回繰り返し突き当てることにより、複数の紙幣Ｂｉの間から硬貨Ｃｏや異物Ｆｏを分離させることができる。
【００６５】
（４）異物除去トレー２０は、開閉支点２８を中心にして後方向に回動させることにより、異物収容部２５に収容された異物Ｆｏを一括して廃棄することができる。
【００６６】
以上の通り、本実施形態１によれば、硬貨処理装置１００は、硬貨受入部１の上に異物除去トレー２０を配置することで、異物が装置内に投入される前に、異物を効率よく除去することができる。
【００６７】
［実施形態２］
実施形態１に係る異物除去トレー２０は、開閉支点２８を中心にして回動することで、硬貨受入部１を開放する構造になっている。これに対し、本実施形態２では、スライド移動（摺動）することで、硬貨受入部１を開放する異物除去トレー２０Ａを提供する。
【００６８】
以下、図１２及び図１３を参照して、本実施形態２に係る異物除去トレー２０Ａの構成につき説明する。図１２は、異物除去トレー２０Ａの構成を示す図である。図１２（ａ）は、上方向から見た異物除去トレー２０Ａの構成を示しており、図１２（ｂ）は、右方向から見た異物除去トレー２０Ａの構成を示している。図１３は、異物除去トレー２０Ａの運用例の説明図である。
【００６９】
図１２に示すように、本実施形態２に係る異物除去トレー２０Ａは、実施形態１に係る異物除去トレー２０（図４参照）と比較すると、スライド移動（摺動）することで硬貨受入部１を開放する構造になっている点、及び、異物収容部２５の外部に硬貨を押し出す硬貨押出機構３０を備える点で相違している。
【００７０】
硬貨押出機構３０は、異物除去トレー２０Ａの本体の移動をガイドするレール３１と、レール３１に沿って回動するローラ３２と、異物除去トレー２０Ａの本体を付勢するスプリング３３と、スプリング３３の両端部が係合される係合部３４ａ，３４ｂとを有している。これらの部材は、異物除去トレー２０Ａの本体の両側面に設けられている。異物除去トレー２０Ａの本体は、レール３１の延在方向である硬貨処理装置１００の前後方向に移動可能な構造になっている。なお、ここで、「異物除去トレー２０Ａの本体」とは、異物除去トレー２０Ａの各構成要素のうち、硬貨押出機構３０を除外した部分を意味している。
【００７１】
異物除去トレー２０Ａの本体の底には、硬貨受入部１の上を部分的に覆うように、載置板３５が敷設されている。異物収容部２５に収容された異物Ｆｏは、載置板３５の上に載置される。
【００７２】
図１３に示すように、異物除去トレー２０Ａは、内部に、押出板３６を有している。押出板３６の下端部は、載置板３５の上面に当接している。押出板３６の下端部は、異物除去トレー２０Ａの本体が前後方向に移動する際に、載置板３５の上面との間に隙間を形成することなく、載置板３５の上面に当接した状態で移動する。
【００７３】
異物Ｆｏが複数の硬貨Ｃｏの中に混入しており、複数の硬貨Ｃｏから異物Ｆｏを分離する場合や、硬貨Ｃｏや異物Ｆｏが複数の紙幣Ｂｉの間に挟まっており、複数の紙幣Ｂｉの間から硬貨Ｃｏや異物Ｆｏを分離する場合において、異物除去トレー２０Ａは、実施形態１の異物除去トレー２０と同様の手順で、運用される。
【００７４】
一方、異物収容部２５に収容された異物Ｆｏを異物収容部２５から除去する場合において、異物除去トレー２０Ａは、以下の手順で運用される。
【００７５】
図１３（ａ）に示すように、異物除去トレー２０Ａの異物収容部２５には、異物Ｆｏが収容されている。異物Ｆｏは、載置板３５の上に載っている。
【００７６】
図１３（ｂ）に示すように、利用者は、異物除去トレー２０Ａを後方に押し込む（矢印Ａ４１参照）。このとき、異物除去トレー２０Ａが移動した分だけスプリング３３が伸びるとともに、押出板３６の下端部が載置板３５の上に載っている異物Ｆｏに当接して異物Ｆｏを後方に押す。これにより、異物除去トレー２０Ａは、異物Ｆｏを後方に移動させる。
【００７７】
図１３（ｃ）に示すように、利用者は、異物除去トレー２０Ａから手を放すと、スプリング３３の復元力で、異物除去トレー２０Ａが初期位置に戻る（矢印Ａ４２参照）。このとき、異物Ｆｏは、押出板３６の上に取り残される。その結果、異物Ｆｏは、異物除去トレー２０Ａの外部に排出される。これにより、異物除去トレー２０Ａは、異物収容部２５に収容された異物Ｆｏを異物収容部２５から除去することができる。利用者は、天井部１９の上に排出された異物Ｆｏを手で取り除く。
【００７８】
＜変形例の異物除去トレーの構成＞
実施形態２に係る異物除去トレー２０Ａは、例えば、図１４に示す異物除去トレー２０Ａａのように変形することができる。以下、図１４を参照して、変形例に係る異物除去トレー２０Ａａの構成につき説明する。なお、図１４では、スプリング３３（図１２参照）を省略して、異物除去トレー２０Ａａの構成を示す。
【００７９】
図１４に示すように、変形例に係る異物除去トレー２０Ａａは、実施形態２に係る異物除去トレー２０Ａ（図１２及び図１３参照）と比較すると、載置板３５と押出板３６の代わりに、載置シート３７と巻取機構３８を備える点で相違している。
【００８０】
載置シート３７は、異物収容部２５に収容された異物Ｆｏが載置される部材である。載置シート３７は、柔軟なシート状の部材で構成されており、繰り返し巻いたり開いたりすることができる。
【００８１】
巻取機構３８は、載置シート３７を巻き取ったり巻き戻したりする機構である。巻取機構３８は、ローラ３２の回転に連動して、稼動する。
【００８２】
図１４（ａ）に示すように、異物除去トレー２０Ａａの異物収容部２５には、異物Ｆｏが収容されている。異物Ｆｏは、載置シート３７の上に載っている。
【００８３】
図１４（ｂ）に示すように、利用者は、異物除去トレー２０Ａａを後方に押し込む（矢印Ａ４１参照）。このとき、異物除去トレー２０Ａａが移動した分だけ、スプリング３３（図１２参照）が伸びるとともに、ローラ３２が回転し、ローラ３２の回転に連動して、巻取機構３８が載置シート３７を巻き取る。巻取機構３８は、載置シート３７を巻き取ることにより、載置シート３７の巻き取っている部分で載置シート３７の上に載っている異物Ｆｏを後方に押す。これにより、異物除去トレー２０Ａａは、異物Ｆｏを後方に移動させる。
【００８４】
利用者が移動可能な最後方の位置まで異物除去トレー２０Ａａを押し込むと、巻取機構３８が載置シート３７を限界近くまで巻き取る。その結果、異物Ｆｏは、開口部２７を通過して、異物除去トレー２０Ａａの外部（具体的には、硬貨処理装置１００の天井部１９の上）に排出される。
【００８５】
図１４（ｃ）に示すように、利用者は、異物除去トレー２０Ａａから手を放すと、スプリング３３（図１２参照）の復元力で、異物除去トレー２０Ａａが初期位置に戻る（矢印Ａ４２参照）。このとき、異物Ｆｏは、天井部１９の上に取り残される。これにより、異物除去トレー２０Ａａは、異物収容部２５に収容された異物Ｆｏを異物収容部２５から除去することができる。利用者は、天井部１９の上に排出された異物Ｆｏを手で取り除く。
【００８６】
以上の通り、本実施形態２やその変形例によれば、硬貨処理装置１００は、硬貨受入部１の上に異物除去トレー２０Ａ（又は異物除去トレー２０Ａａ）を配置することで、異物が装置内に投入される前に、異物を効率よく除去することができる。
【００８７】
［実施形態３］
前記した実施形態に係る異物除去トレー２０，２０Ａ，２０Ａａは、単一の成型部材で構成されている。これに対し、本実施形態３では、複数の部材で構成された異物除去トレー２０Ｂを提供する。
【００８８】
以下、図１５乃至図２０を参照して、本実施形態３に係る異物除去トレー２０Ｂの構成につき説明する。図１５は、異物除去トレー２０Ｂの斜視図である。図１６は、異物除去トレー２０Ｂの開放時の斜視図である。図１７は、異物除去トレー２０Ｂの上部を構成する上部カバー４１の上面図である。図１８は、異物除去トレー２０Ｂの下部を構成する下部カバー５１の上面図である。図１９及び図２０は、それぞれ、異物除去トレー２０Ｂの側面図及び断面図である。図２０は、図１７に示すＸ３−Ｘ３線に沿って切断した異物除去トレー２０Ｂの断面を、側面方向から見た形状を示している。
【００８９】
図１５乃至図２０に示すように、本実施形態３に係る異物除去トレー２０Ｂは、実施形態１に係る異物除去トレー２０（図４参照）と比較すると、上部カバー４１と下部カバー５１とこれらを連結する連結部材６１との３つの部材で構成されている点で相違している。
【００９０】
図１５及び図１９に示すように、異物除去トレー２０Ｂは、上部カバー４１と、下部カバー５１と、連結部材６１と、を備えている。つまり、異物除去トレー２０Ｂは、上部カバー４１と、下部カバー５１とに分割された構造になっている。
【００９１】
上部カバー４１は、異物除去トレー２０Ｂの上部分を構成する部材である。
下部カバー５１は、異物除去トレー２０Ｂの下部分を構成する部材である。
連結部材６１は、上部カバー４１と下部カバー５１とを連結する部材である。
【００９２】
連結部材６１の下端部は、下部カバー５１の後端部に設けられた軸部材（図示せず）で回動可能に軸支されている。連結部材６１の上端部は、上部カバー４１を支持している。上部カバー４１は、連結部材６１が後方に回動することにより、下部カバー５１の上から外れる。これにより、下部カバー５１の上面が開放される。
【００９３】
図１５及び図１７に示すように、上部カバー４１は、紙幣が挿入される紙幣挿入部４２を有している（図２１参照）。紙幣挿入部４２は、上部カバー４１の内側に凹むように形成されている。紙幣挿入部４２の下面は、平坦な面として形成されており、上部カバー４１の後側に進むにつれて斜め下向きに傾斜している。
【００９４】
紙幣挿入部４２の内部の奥側には、複数の紙幣突当部４３が設けられている。紙幣突当部４３は、複数の紙幣の一辺に対して部分的に突き当てられる部位である。紙幣突当部４３同士の間には、隙間部４４が設けられている。紙幣挿入部４２は、隙間部４４を介して下部カバー５１の第１硬貨投入部２１（図１６参照）に連通している。
【００９５】
図１６に示すように、異物除去トレー２０Ｂは、上部カバー４１を後方に回動させることで、下部カバー５１の上面が開放される構造になっている。
【００９６】
図１６及び図１８に示すように、下部カバー５１は、実施形態１の異物除去トレー２０と同様の構造になっている。ただし、下部カバー５１は、実施形態１の異物除去トレー２０（図４参照）と比較すると、後端部に設けられた軸部材（図示せず）で連結部材６１を回動可能に軸支している点、及び、上方に配置された上部カバー４１を開閉させることができる形状に形成されている点で相違している。
【００９７】
以下、図２１乃至図２３を参照して、異物除去トレー２０Ｂの運用例につき説明する。図２１乃至図２３は、それぞれ、異物除去トレー２０Ｂの運用例の説明図である。
【００９８】
ここでは、異物除去トレー２０Ｂの運用例について、以下の３通りのパターンを例にして説明する。
（１）硬貨Ｃｏや異物Ｆｏが複数の紙幣Ｂｉの間に挟まっており、複数の紙幣Ｂｉの間から硬貨Ｃｏや異物Ｆｏを分離させる場合の運用例。
（２）異物Ｆｏが複数の硬貨Ｃｏの中に混入しており、複数の硬貨Ｃｏの中から異物Ｆｏを分離させる場合の運用例。
（３）異物収容部２５に収容された異物Ｆｏを異物収容部２５から除去する場合の運用例。
【００９９】
（１）硬貨Ｃｏや異物Ｆｏが複数の紙幣Ｂｉの間に挟まっており、複数の紙幣Ｂｉの間から硬貨Ｃｏや異物Ｆｏを分離させる場合の運用例。
この場合に、例えば、図２１（ａ）に示すように、利用者は、異物除去トレー２０Ｂを閉鎖させた状態（図１５参照）で、複数の紙幣Ｂｉの一辺を上部カバー４１の紙幣挿入部４２に挿入し、複数の紙幣Ｂｉの一辺を紙幣突当部４３に複数回繰り返し突き当てる（矢印Ａ５１参照）。
【０１００】
すると、図２１（ｂ）に示すように、硬貨Ｃｏや異物Ｆｏは、複数の紙幣Ｂｉの間から分離して落下する。そして、硬貨Ｃｏや異物Ｆｏは、隙間部４４を通過して、下部カバー５１の第１硬貨投入部２１の内部に落下する（矢印Ａ５２参照）。硬貨Ｃｏは、主に底面部２１ａ（図４参照）に集まった状態で、第１硬貨投入部２１の内部に保持される。一方、異物Ｆｏは、異物除去孔２３を通って第１硬貨投入部２１から異物収容部２５に落下して、異物収容部２５に収容される（矢印Ａ５３参照）。これにより、硬貨Ｃｏと異物Ｆｏとが分離される。したがって、異物除去トレー２０Ｂは、紙幣Ｂｉから硬貨Ｃｏや異物Ｆｏを除去することができるとともに、硬貨Ｃｏと異物Ｆｏとを分離させることができる。
【０１０１】
（２）異物Ｆｏが複数の硬貨Ｃｏの中に混入しており、複数の硬貨Ｃｏの中から異物Ｆｏを分離させる場合の運用例。
この場合に、例えば、図２２（ａ）に示すように、利用者は、異物除去トレー２０Ｂを開放させた状態（図１６参照）で、複数の硬貨Ｃｏを上部カバー４１の第１硬貨投入部２１に投入する（矢印Ａ６１参照）。
【０１０２】
すると、図２２（ｂ）に示すように、各硬貨Ｃｏは、傾斜部２１ｂ（図１６参照）に沿って滑落して、主に底面部２１ａ（図１６参照）に集まった状態で、第１硬貨投入部２１の内部に保持される。一方、異物Ｆｏは、異物除去孔２３を通って第１硬貨投入部２１から異物収容部２５に落下して、異物収容部２５に収容される（矢印Ａ６２参照）。これにより、硬貨Ｃｏと異物Ｆｏとが分離される。したがって、異物除去トレー２０Ｂは、複数の硬貨Ｃｏの中から異物Ｆｏを除去することができる。
【０１０３】
この後、図２２（ｃ）に示すように、利用者は、第１硬貨投入部２１の内部に保持されている硬貨Ｃｏを第１硬貨投入部２１から適量ずつ手で取り出して、取り出した硬貨Ｃｏの中に異物Ｆｏが混入していないかを確認する。そして、利用者は、異物Ｆｏが混入していない場合に、そのまま硬貨Ｃｏを第２硬貨投入部２２に投入し、一方、異物Ｆｏが混入している場合に、異物Ｆｏを手で取り除いてから硬貨Ｃｏを第２硬貨投入部２２に投入する（矢印Ａ６３参照）。すると、硬貨Ｃｏは、開口部２２ａを通って第２硬貨投入部２２から硬貨受入部１に落下する。このようにして、異物除去トレー２０Ｂは、異物Ｆｏが除去された硬貨Ｃｏのみを硬貨受入部１に投入することができる。
【０１０４】
（３）異物収容部２５に収容された異物Ｆｏを異物収容部２５から除去する場合の運用例。
この場合に、例えば、図２３に示すように、利用者は、異物除去トレー２０Ｂを閉鎖させた状態（図１５参照）で、異物除去トレー２０Ｂの前端部を把持して持ち上げる（矢印Ａ７１参照）。すると、異物除去トレー２０Ｂは、開閉支点２８を中心にして後方向に回動する。このとき、異物収容部２５に収容された異物Ｆｏは、床面部２６に沿って滑落する（矢印ＡＦｏ参照）。その結果、異物Ｆｏは、開口部２７を通過して、異物除去トレー２０Ｂの外部（具体的には、硬貨処理装置１００の天井部１９の上）に排出される。これにより、異物除去トレー２０Ｂは、異物収容部２５に収容された異物Ｆｏを異物収容部２５から除去することができる。利用者は、天井部１９の上に排出された異物Ｆｏを手で取り除く。
【０１０５】
このような異物除去トレー２０Ｂは、他の実施形態の異物除去トレー２０，２０Ａ，２０Ａａと同様に、第１硬貨投入部２１で複数の硬貨Ｃｏの中から異物Ｆｏを除去することができる。また、異物除去トレー２０Ｂは、複数の硬貨Ｃｏを一時的に保持する場所として第１硬貨投入部２１を用いることができる。これにより、異物除去トレー２０Ｂは、仮に第１硬貨投入部２１で除去しきれなかった異物Ｆｏがあったとしても、硬貨Ｃｏの中に異物Ｆｏが混入していないかを利用者に確認させながら第２硬貨投入部２２に投入させることができる。そのため、異物除去トレー２０Ｂは、異物Ｆｏが確実に除去された硬貨Ｃｏのみを硬貨受入部１に投入することができる。
【０１０６】
また、異物除去トレー２０Ｂは、紙幣突当部２４が第１硬貨投入部２１の上方に配置されているため、他の実施形態の異物除去トレー２０，２０Ａ，２０Ａａよりも設置面積のサイズを小型化することができる。
【０１０７】
以上の通り、本実施形態３によれば、硬貨処理装置１００は、他の実施形態と同様に、硬貨受入部１の上に異物除去トレー２０Ｂを配置することで、異物が装置内に投入される前に、異物を効率よく除去することができる。
しかも、本実施形態３によれば、他の実施形態に比べて、異物除去トレー２０Ｂのサイズを小型化することができる。
【０１０８】
なお、本発明は、前記した実施形態に限定されるものではなく、本発明の要旨を逸脱しない範囲で種々の変更や変形を行うことができる。
例えば、前記した実施形態は、本発明の要旨を分かり易く説明するために詳細に説明したものである。そのため、本発明は、必ずしも説明した全ての構成要素を備えるものに限定されるものではない。また、本発明は、ある実施形態の構成要素に他の構成要素を追加したり、ある実施形態の一部の構成要素を他の実施形態の構成要素に変更したりすることができる。また、本発明は、ある実施形態の一部の構成要素を削除することもできる。
【符号の説明】
【０１０９】
１    硬貨受入部
２    硬貨繰出部
３    硬貨認識部
４    選別搬送部
５    リジェクト口
６（６ａ〜６ｆ）    受入口
８（８ａ〜８ｆ）    硬貨落下シュート
９    硬貨収容部
１１（１１ａ〜１１ｆ）    金種別一時保留部
１２    ガイド
１３    硬貨返却箱
１４（１４ａ〜１４ｆ）    金種別硬貨返却小箱
１５（１５ａ〜１５ｆ）    金種別出金ホッパ
１６    硬貨出金箱
１７    金種別硬貨出金小箱
１８（１８ａ〜１８ｆ）    回収庫
１９    天井部
１９ａ    カバー取付枠
１９ｂ    開閉支点挿入穴
２０，２０Ａ，２０Ａａ，２０Ｂ    異物除去トレー（カバー部材）
２１    第１硬貨投入部
２１ａ    底面部
２１ｂ，２２ｂ    傾斜部
２２    第２硬貨投入部
２２ａ    開口部
２３    異物除去孔
２４    紙幣突当部（硬貨取り除き部）
２４ａ    紙幣受け部
２４ｂ    立設部
２４ｃ    通路部
２５    異物収容部
２６    床面部（仕切り部材）
２７    開口部
２８    開閉支点
３０    硬貨押出機構
３１    レール
３２    ローラ
３３    スプリング
３４ａ，３４ｂ    係合部
３５    載置板
３６    押出板
３７    載置シート
３８    巻取機構
４１    上部カバー
４２    紙幣挿入部
４３    紙幣突当部
４４    隙間部
５１    下部カバー
６１    連結部材
１００    硬貨処理装置
Ｂｉ    紙幣
Ｃｏ    硬貨
Ｆｏ    異物
【図１】
2019046128.tif 000003
【図２】
2019046128.tif 000004
【図３】
2019046128.tif 000005
【図４】
2019046128.tif 000006
【図５】
2019046128.tif 000007
【図６】
2019046128.tif 000008
【図７】
2019046128.tif 000009
【図８】
2019046128.tif 000010
【図９】
2019046128.tif 000011
【図１０】
2019046128.tif 000012
【図１１】
2019046128.tif 000013
【図１２】
2019046128.tif 000014
【図１３】
2019046128.tif 000015
【図１４】
2019046128.tif 000016
【図１５】
2019046128.tif 000017
【図１６】
2019046128.tif 000018
【図１７】
2019046128.tif 000019
【図１８】
2019046128.tif 000020
【図１９】
2019046128.tif 000021
【図２０】
2019046128.tif 000022
【図２１】
2019046128.tif 000023
【図２２】
2019046128.tif 000024
【図２３】
2019046128.tif 000025